(57)【要約】【課題】ヘタリが小さく軽量であって、蒸れ感を少なくする効果が高く、加えて指圧効果等を得ることもできる布団用中芯を提供する。【解決手段】基部１の片面に多数の凸部２と凹部３を交互に規則的な配列で設けてシート状に形成する。ポリエチレン発泡体４とポリウレタン発泡体５のうち一方で基部１を形成し、且つポリエチレン発泡体４とポリウレタン発泡体５のうち他方で凸部２を形成すると共に凸部２の先端部をポリエチレン発泡体４とポリウレタン発泡体５のうち一方で形成する。ポリエチレン発泡体４とポリウレタン発泡体５で形成するため、ヘタリが小さく且つ軽量化することができる。そして凸部２が圧縮されたり回復したりする際に空気が凸部２と凹部３の間で出入りして、中芯内の空気の入れ替わりが容易に行なわれ、蒸れ感を少なくする効果を高く得ることができると共に、凸部２によって指圧効果を得ることもできる。【選択図】図１
0003122662.tif 000002
【実用新案登録請求の範囲】
【請求項１】
基部の片面に多数の凸部と凹部を交互に規則的な配列で設けてシート状に形成される布団用中芯であって、ポリエチレン発泡体とポリウレタン発泡体のうち一方で基部を形成し、且つポリエチレン発泡体とポリウレタン発泡体のうち他方で凸部を形成すると共に凸部の先端部をポリエチレン発泡体とポリウレタン発泡体のうち一方で形成して成ることを特徴とする布団用中芯。
【請求項２】
ポリエチレン発泡体とポリウレタン発泡体の少なくとも一方に、機能性材料を含有させて成ることを特徴とする請求項１に記載の布団用中芯。
【考案の詳細な説明】
【技術分野】
【０００１】
本考案は、敷布団や掛け布団、その他座布団など、布団類の中芯に関するものである。
【背景技術】
【０００２】
敷布団などの布団は、中芯の回りに袋状の布を被せたり、布団綿を被せたりして形成されている。この中芯としてはポリエステル固綿を用いるのが一般的であるが、ポリエステル固綿は圧縮が繰り返して作用するとポリエステル単繊維のカールが徐々に延びて弾力性が低下し、長期に亘って使用している間に厚みが薄くなる、いわゆるヘタリが発生するおそれがある。またポリエステル固綿は見掛け密度が高いために、布団全体の重量が重くなり、毎日の布団の上げ下ろしの労力負担が大きいという問題もある。
【０００３】
そこで、本考案者によって、ポリエチレン発泡体とポリウレタン発泡体とを積層した積層発泡体で形成した中芯が提案されている（特許文献１参照）。
【０００４】
ポリエチレン発泡体やポリウレタン発泡体は繰り返し圧縮に対する耐久性が高く、ヘタリを低減することができるものであり、また低密度に形成することができるポリウレタン発泡体によって、軽量化することができるものであり、このようにポリエチレン発泡体とポリウレタン発泡体からなる積層発泡体で中芯を形成することによって、ヘタリが小さく軽量な中芯を形成することができるものである。
【０００５】
またこのような積層発泡体からなる中芯を用いて形成した布団にあって、寝返りをうつなどする際に体重で圧縮される箇所が移動することによって、中芯に含まれる空気が出入りして、中芯内の空気が入れ替わり、就寝等する際の蒸れ感を少なくすることができるという特徴もある。
【特許文献１】特開平８−１９６３９２号公報
【考案の開示】
【考案が解決しようとする課題】
【０００６】
しかし、中芯を形成する積層発泡体はポリエチレン発泡体とポリウレタン発泡体を張り合わせた層構造に形成されているため、中芯内の空気はその上下両面及び側面の各表面から出入りするだけであり、空気の出入りの効率が十分ではなく、湿気を含んだ空気が中芯内に滞留して、特に夏季などにおいて就寝等する際に蒸れ感を感じることがある。このために快適な就寝という面で、改良の余地があるものであった。
【０００７】
本考案は上記の点に鑑みてなされたものであり、ヘタリが小さく軽量であって、蒸れ感を少なくする効果が高く、加えて指圧効果等を得ることもできる布団用中芯を提供することを目的とするものである。
【課題を解決するための手段】
【０００８】
本考案の請求項１に係る布団用中芯は、基部１の片面に多数の凸部２と凹部３を交互に規則的な配列で設けてシート状に形成される布団用中芯であって、ポリエチレン発泡体４とポリウレタン発泡体５のうち一方で基部１を形成し、且つポリエチレン発泡体４とポリウレタン発泡体５のうち他方で凸部２を形成すると共に凸部２の先端部をポリエチレン発泡体４とポリウレタン発泡体５のうち一方で形成して成ることを特徴とするものである。
【０００９】
この考案によれば、繰り返し圧縮に対する耐久性が高いポリエチレン発泡体４とポリウレタン発泡体５でヘタリを低減することができると共に、低密度に形成することができるポリウレタン発泡体５で軽量化することができる。そして寝返りをうつ際の体重移動に伴って、凸部２が圧縮されたり回復したりする際に空気が凸部２と凹部３の間で出入りして、中芯内の空気の入れ替わりが容易に行なわれ、蒸れ感少なく快適に就寝することができる。さらに、凸部２によって、寝る人に対する指圧効果を得ることもできる。
【００１０】
また請求項２の考案は、請求項１において、ポリエチレン発泡体４とポリウレタン発泡体５の少なくとも一方に、機能性材料を含有させて成ることを特徴とするものである。
【００１１】
この考案によれば、機能性材料として、マイナスイオンを放出する材料や、抗菌・消臭効果を有する材料などを用いることによって、これらの機能を発揮させることができる。
【考案の効果】
【００１２】
本考案は、布団用中芯をポリエチレン発泡体４とポリウレタン発泡体５で形成しているので、ヘタリが小さく且つ軽量化することができるものであり、そして凸部２が圧縮されたり回復したりする際に空気が凸部２と凹部３の間で出入りして、中芯内の空気の入れ替わりが容易に行なわれるものであって、蒸れ感を少なくする効果を高く得ることができると共に、凸部２によって指圧効果を得ることもできるものである。
【考案を実施するための最良の形態】
【００１３】
以下、本考案を実施するための最良の形態を説明する。
【００１４】
本考案に係る布団用中芯Ａは、ポリエチレン発泡体４とポリウレタン発泡体５を交互に積層した三層構造の積層発泡体１０をプロファイル加工することによって作製することができるものである。
【００１５】
ここで、ポリエチレン発泡体４は繰り返し圧縮に対する耐久性が高いので、ヘタリを低減した中芯Ａを得ることができるものである。ポリエチレン発泡体４としては発泡倍率が２０〜５０倍のものを用いるのが好ましい。発泡倍率が５０倍を超えると繰り返し圧縮に対する耐久性が低下し、ヘタリ発生の低減が不十分になるおそれがある。逆に発泡倍率が２０倍未満であると、密度が高くなって軽量化が困難になるおそれがある。
【００１６】
またポリウレタン発泡体５は繰り返し圧縮に対する耐久性が高くヘタリを低減する効果を有する他に、高発泡倍率で低密度に成形することができるので、中芯Ａを軽量化することができるものである。ポリウレタン発泡体５としてはポリエーテル系やポリエステル系など任意のものを用いることができるが、２０〜８０倍程度の高発泡倍率に形成したものが好ましく、このようなポリウレタン発泡体５は見掛け密度が１３〜４０ｋｇ／ｍ３程度の低密度に形成されている。
【００１７】
図２（ａ）はポリウレタン発泡体５の両面にポリエチレン発泡体４を積層接着して一体化した積層発泡体１０を示すものであり、この積層発泡体１０をプロファイル加工することによって、図１や図２（ｂ）に示す中芯Ａを作製することができる。プロファイル加工は、図５に示すように、加圧ロール１２の外周に凸１３と凹１４を円周方向及び軸方向に交互に規則配列して設け、この加圧ロール１２を凸１３と凹１４が対向するように平行に一対配置すると共に、両加圧ロール１２，１２間にカッター１５を配置して形成されるプロファイル裁断装置を用いて行なうことができるものである。そして、回転駆動される加圧ロール１２，１２の間に積層発泡体１０を通して、加圧ロール１２，１２の凸１３と凹１４の間で積層発泡体１０を圧縮しながら、その厚み方向の中央をカッター１５で切断することによって、切断面に多数の凸部２と凹部３が交互に規則配列して形成された二枚の中芯Ａを得ることができるものである。
【００１８】
このように、ポリウレタン発泡体５の両面にポリエチレン発泡体４を積層した積層発泡体１０をプロファイル加工することによって、基部１の片面に多数の凸部２と凹部３を交互に規則的な配列で設けてシート状に形成した中芯Ａを作製することができるものであり、図１及び図２（ｂ）に示すように、ポリエチレン発泡体４で基部１を形成し、ポリウレタン発泡体５で凸部２の大部分を形成すると共に凸部２の先端部をポリエチレン発泡体４で形成するようにしてある。またこのように凸部２の先端部をポリエチレン発泡体４で形成するぶん、凹部３の底部にはポリエチレン発泡体４が露出するようになっている。
【００１９】
ここで、図２（ａ）の積層発泡体１０において、中央のポリウレタン発泡体５は厚み１５〜６０ｍｍに、両側のポリエチレン発泡体４は厚み５〜２０ｍｍに形成してあり、ポリウレタン発泡体５の厚みをポリエチレン発泡体４の厚みの３〜５倍に設定してある。そしてポリウレタン発泡体５で大部分が形成される凸部２の高さは、発泡ポリエチレン４で形成される基部１の厚みの３〜５倍に形成されるものである。ポリエチレン発泡体４は一般に腰が強く比較的高い硬度で形成され、またポリウレタン発泡体５は柔らかく比較的硬度低く形成されるものであり、このようにポリウレタン発泡体５からなる凸部２の高さを発泡ポリエチレン４からなる基部１の厚みの３〜５倍に形成することによって、クッション性の高い中芯Ａとして形成することができるものである。
【００２０】
このように形成される中芯Ａの外周に布団綿１７を巻き、あるいは中芯Ａの上下両面に布団綿１７を重ね、これらを袋状の布地で作製した布団側１８で包むことによって、図６（ａ）に示すような、敷布団、掛け布団、座布団などとして使用される布団Ｂを得ることができるものである。布団綿１７としてはウール、ポリエステル繊維、綿等の従来から用いられるものを使用することができる。また布団綿１７を用いず、中芯Ａを袋状の布地で作製した布団側１８で直接包むことによって、図６（ｂ）に示すような布団Ｂを得ることができるものである。このようにして得られる布団Ｂにあって、中芯Ａは上記のようにポリエチレン発泡体４とポリウレタン発泡体５で形成されており、ヘタリの発生が小さく、軽量であり、断熱性が高いので、ヘタリの発生が小さく且つ軽量であり、また保温性も高い布団Ｂを得ることができるものである。特に、プロファイル加工した中芯Ａは凸部２の部分で厚みを確保しながら、凹部３の部分で軽量化と保温性を高めることができ、軽量化と保温性により優れた布団Ｂを得ることができるものである。
【００２１】
また、この布団Ｂを敷布団として用いるにあたって、寝返りをうつなどする際に体重で圧縮される箇所が移動することによって、中芯Ａの凸部２が圧縮されたり、元の状態に回復したりすることを繰り返すことになるが、この際に凸部２の空気が凹部３に出たり入ったりすることになり、中芯Ａ内の空気の入れ替わりが容易に行なわれる。従って、湿った空気が中芯Ａ内に滞留することがなくなって、就寝する際の蒸れ感を小さくすることができるものであり、快適に就寝することができるものである。中芯Ａをポリウレタン発泡体５で形成した図１の実施の形態では、特にこの効果を高く得ることができるものである。さらに、中芯Ａの凸部２が上になるように布団Ｂを敷いて就寝する場合、中芯Ａの凸部２が寝る人の体に部分的に当たって刺激を与えるので、指圧効果を得ることもできるものである。凸部２の上端部は比較的硬いポリエチレン発泡体４で形成されているので、この指圧効果を高く得ることができるものである。またこの指圧効果は、中芯Ａを布地の布団側１８で直接包んだ図６（ｂ）の布団Ｂの場合に、特に高く得ることができるものである。
【００２２】
図４（ａ）はポリエチレン発泡体４の両面にポリウレタン発泡体５を積層接着して一体化した積層発泡体１０を示すものであり、この積層発泡体１０を上記と同様にしてプロファイル加工することによって、図３や図４（ｂ）に示す中芯Ａを作製することができる。このように、ポリエチレン発泡体４の両面にポリウレタン発泡体５を積層した積層発泡体１０をプロファイル加工することによって、基部１の片面に多数の凸部２と凹部３を交互に規則的な配列で設けてシート状に形成した中芯Ａを作製することができるものであり、図３及び図４（ｂ）に示すように、ポリウレタン発泡体５で基部１を形成し、ポリエチレン発泡体４で凸部２の大部分を形成すると共に凸部２の先端部をポリウレタン発泡体５で形成するようにしてある。またこのように凸部２の先端部をポリウレタン発泡体５で形成するぶん、凹部３の底部にはポリウレタン発泡体５が露出するようになっている。
【００２３】
ここで、図２（ａ）の積層発泡体１０において、中央のポリエチレン発泡体５は厚み５〜２０ｍｍに、両側のポリウレタン発泡体４は厚み１０〜４０ｍｍに形成してあり、ポリウレタン発泡体５の厚みをポリエチレン発泡体４の厚みの２〜３倍に設定してある。そしてポリウレタン発泡体５で大部分が形成される凸部２の高さは、発泡ポリエチレン４で形成される基部１の厚みの１／２〜１／３倍に形成されるものである。
【００２４】
このように形成される中芯Ａを用いて、上記と同様にして図６（ａ）あるいは図６（ｂ）に示すような布団Ａを得ることができるものである。このようにして得られる布団Ｂにあって、中芯Ａは上記のようにポリエチレン発泡体４とポリウレタン発泡体５で形成されており、ヘタリの発生が小さく、軽量であり、断熱性が高いので、ヘタリの発生が小さく且つ軽量であり、また保温性も高い布団Ｂを得ることができるものである。特に、プロファイル加工した中芯Ａは凸部２の部分で厚みを確保しながら、凹部３の部分で軽量化と保温性を高めることができ、軽量化と保温性により優れた布団Ｂを得ることができるものである。
【００２５】
また、この布団Ｂを敷布団として用いるにあたって、上記と同様に、就寝する際の蒸れ感を小さくすることができるものであり、快適に就寝することができるものである。さらに、中芯Ａの凸部２が上になるように布団Ｂを敷いて就寝する場合、中芯Ａの凸部２が寝る人の体に部分的に当たって刺激を与えるので、指圧効果を得ることもできるものである。図３の中芯Ａの場合、凸部２の大部分は比較的硬く腰の強いポリエチレン発泡体４で形成されているので、凸部２によるこの指圧効果を特に高く得ることができるものである。
【００２６】
中芯Ａは上記のようにポリエチレン発泡体４やポリウレタン発泡体５で形成されているので、ポリエチレン発泡体４やポリウレタン発泡体５の気泡内に機能性材料を含有させることができる。この機能性材料としては、トルマリンなどマイナスイオンを放出する材料や、抗菌剤、消臭剤、防ダニ剤などから選ばれるものを用いることができるものである。機能性材料をポリエチレン発泡体４やポリウレタン発泡体５の気泡内に含有させるにあたっては、機能性材料の微粉末をポリエチレン発泡体４やポリウレタン発泡体５の気泡に充填させる方法や、機能性材料の微粉末を水等に分散させてポリエチレン発泡体４やポリウレタン発泡体５に含浸させた後に乾燥する方法や、発泡原料に機能性材料を混合した状態で発泡成形する方法など、任意の方法を採用することができる。このようにポリエチレン発泡体４やポリウレタン発泡体５に機能性材料を含有させることによって、機能性材料を含有する中芯Ａを作製することができるものであり、機能性材料を有する布団Ｂを得ることができるものである。従って、布団Ｂで就寝しながらマイナスイオンを浴びることが可能になり、また布団Ｂの抗菌、脱臭、防ダニを行なうことが可能になるものである。
【図面の簡単な説明】
【００２７】
【図１】本考案の実施の形態の一例を示す一部の断面図である。
【図２】同上の実施の形態を示すものであり、（ａ）は積層発泡体の斜視図、（ｂ）は中芯の斜視図である。
【図３】本考案の実施の形態の他の一例を示す一部の断面図である。
【図４】同上の実施の形態を示すものであり、（ａ）は積層発泡体の斜視図、（ｂ）は中芯の斜視図である。
【図５】プロファイル加工を示す正面図である。
【図６】本考案に係る中芯を用いた布団を示すものであり、（ａ）（ｂ）はそれぞれ一部の断面図である。
【符号の説明】
【００２８】
１  基部
２  凸部
３  凹部
４  ポリエチレン発泡体
５  ポリウレタン発泡体
【図１】
0003122662.tif 000003
【図２】
0003122662.tif 000004
【図３】
0003122662.tif 000005
【図４】
0003122662.tif 000006
【図５】
0003122662.tif 000007
【図６】
0003122662.tif 000008